(57)【要約】【課題】被訓練者が環境変化や外乱に適応する能力を磨くことを可能とする歩行訓練装置を提供する。【解決手段】並列する２つの第１歩行面、第２歩行面を提供する２つの無端ベルト１、２と、歩行中の被訓練者に、選択されたターゲットの押圧動作を行わせるための複数のターゲットＴ１〜Ｔ４と、歩行中の被訓練者に、前記選択されたターゲットを提示するモニタ８とを備え、第１歩行面の移動速度と第２歩行面の移動速度は独立して設定可能であり、複数のターゲットＴ１〜Ｔ４は、第１歩行面上の被訓練者が押圧可能な第１ターゲットＴ１、Ｔ２と、第２歩行面上の被訓練者が押圧可能な第２ターゲットＴ３、Ｔ４を含む、歩行訓練装置。【選択図】図１
2019042470.tif 000002
【特許請求の範囲】
【請求項１】
並列する少なくとも２つの第１歩行面、第２歩行面を提供する少なくとも２つの無端ベルトと、
歩行中の被訓練者に、いずれか1つの歩行面上に両足を載せた状態で、選択されたターゲットに身体の部分を接近させる動作を行わせるための複数のターゲットと、
歩行中の被訓練者に、前記選択されたターゲットを指示するターゲット指示手段と、
を備え、
第１歩行面の移動速度と第２歩行面の移動速度は独立して設定可能であり、
前記複数のターゲットは、第１歩行面上の被訓練者の身体の部分が接近可能な１つあるいは複数の第１ターゲットと、第２歩行面上の被訓練者の身体の部分が接近可能な１つあるいは複数の第２ターゲットを含む、
歩行訓練装置。
【請求項２】
訓練中に、第１歩行面と第２歩行面は異なる速度で移動する、請求項１に記載の歩行訓練装置。
【請求項３】
訓練中に、第１歩行面と第２歩行面は異なる傾斜で移動する、請求項１、２いずれか１項に記載の歩行訓練装置。
【請求項４】
前記ターゲット指示手段は、前記複数のターゲットからターゲットをランダムに選択して指示する、請求項１〜３いずれか１項に記載の歩行訓練装置。
【請求項５】
前記ターゲット指示手段は、被訓練者に対して視覚的あるいは聴覚的に指示を与える、請求項１〜４いずれか１項に記載の歩行訓練装置。
【請求項６】
前記歩行訓練装置は、選択されたターゲットに身体の部分を接近させる動作が実行されたことを検知する接近動作検知手段を備えている、請求項１〜５いずれか１項に記載の歩行訓練装置。
【請求項７】
前記接近動作検知手段は、身体の部分とターゲットの接触あるいは身体の部分によるターゲットの押圧を検知して検知信号を生成する、請求項６に記載の歩行訓練装置。
【請求項８】
前記歩行訓練装置は、前記接近動作検知手段によって接近動作が検知された検知元ターゲットと被訓練者に指示されたターゲットとを照合する動作正誤判定手段を備えている、請求項６、７いずれか１項に記載の歩行訓練装置。
【請求項９】
前記動作正誤判定手段により照合されたターゲットが一致した場合には、接近動作完了と判断し、前記ターゲット指示手段は、次のターゲットを選択して指示する、請求項８に記載の歩行訓練装置。
【請求項１０】
前記ターゲット指示手段は、前記接近動作検知手段から検知信号が生成された時に、接近動作が正動作であるか誤動作であるかにかかわらず、次のターゲットを選択して指示する、請求項６〜８いずれか１項に記載の歩行訓練装置。
【請求項１１】
前記歩行訓練装置は、訓練結果記録手段を備えており、
前記訓練結果には、ターゲット指示手段による被訓練者に対するターゲットの指示から接近動作完了時までの時間が含まれる、請求項９に記載の歩行訓練装置。
【請求項１２】
前記歩行訓練装置は、訓練結果記録手段を備えており、
前記訓練結果には、ターゲット指示手段による被訓練者に対するターゲットの指示から接近動作検知時までの時間が含まれる、請求項６〜８、１０いずれか１項に記載の歩行訓練装置。
【請求項１３】
前記身体の部分は上肢である、請求項１〜１２いずれか１項に記載の歩行訓練装置。
【請求項１４】
前記少なくとも２つの第１歩行面、第２歩行面の間には当該第１歩行面と第２歩行面間の乗り移りを要する中間部が存在する、
請求項１〜１３いずれか１項に記載の歩行訓練装置。
【請求項１５】
前記中間部の上面は、前記第１歩行面及び第２歩行面よりも高い位置にある、
請求項１４に記載の歩行訓練装置。
【請求項１６】
前記少なくとも２つの第１歩行面、第２歩行面の後側が、被訓練者が第１歩行面ないし第２歩行面に乗り降りする昇降経路となっており、前記昇降経路の側方に位置して操作パネルが設けてある、
請求項１〜１５いずれか１項に記載の歩行訓練装置。
【請求項１７】
前記少なくとも２つの第１歩行面、第２歩行面の後側には、介助者が載る補助台が設けられ、前記操作パネルは、前記補助台上の介助者が操作可能な位置に設けてある、
請求項１６に記載の歩行訓練装置。
【発明の詳細な説明】
【技術分野】
【０００１】
本発明は、歩行訓練装置に係り、特に、リハビリテーション医療に用いられる歩行訓練装置に関するものである。
【背景技術】
【０００２】
歩行安定性はリハビリテーション治療の大きな目標である。リハビリ介入では、実際に平地やトレッドミル等の歩行訓練を反復することで、歩行の安定性の獲得を目指している。歩行訓練は介護予防等を目的に頻用される介入法であるが、運動学習の視点で見ると一定の歩行様式での反復練習では、環境の影響で運動様式が不意に変化したり、外乱が加わったりした場合の適応は学習されにくい。従来のリハビリテーションで行われるような歩行訓練は必ずしも介護保険脱却の有効な手段とならないおそれがある。
【０００３】
すなわち、本来、歩行訓練では変化する環境に対応できる能力を身につける必要があるが、リハビリテーションの場面では転倒等に配慮しながら、ある歩行パターンを反復するのが通常であるところ、それでは環境変化や外乱に対して適応能力が低い運動戦略の学習となってしまうという不具合がある。
【０００４】
近年、同じ動作を繰り返し行う伝統的な学習に対して、様々な感覚ノイズを処理する運動学習が着目されている。非特許文献１には複数種類の簡便な運動プログラムの実践による姿勢制御能力の向上が記載され、非特許文献２には、感覚ノイズに対処することにより環境変化や外乱に対する適応能力を磨く運動学習が実現できることが記載されている。繰り返し動作を行う従来の手法に対して、より現実に即した効果的な運動学習は、一定の運動様式を反復させずに様々な感覚ノイズを処理することで学習者がパフォーマンスを探索することであり、そのために様々な運動パターンを組み込む学習である。この考え方は歩行訓練によるリハビリテーション等においても有効であると考えられる。
【０００５】
上述のように、画一的に歩行パターンを反復して練習する既存の手法では周囲の環境変化や外乱に対して適応能力が低いものとなっている。ここで、歩行の安定を得るためのバランス練習等が歩行訓練とは別に実施されるが、歩行練習の中で同時に実施できた方が効率的であるとともに、歩行安定の習得に寄与すると考えられる。そこで、環境変化や外乱に対する適応能力を磨くため感覚ノイズを処理させる運動学習（歩行中に側方バランス課題を組み込む等）を取り込んだ歩行訓練システムを提供することを検討した。
【０００６】
トレッドミルを用いた歩行訓練装置については多くの先行特許文献があるが、歩行訓練にバランス練習を組み込むという視点を採用したものは無い。例えば、特許文献１は、転倒予防として環境適応のための学習効果があるリハビリテーションを行うことを可能とする歩行訓練システムに係り、障害物を含む歩行コースの映像データを被訓練者に表示し、被訓練者に非接触で被訓練者の足先の高さを検出して、足先高さ検出データと当該障害物の高さデータと比較することで、被訓練者が障害物を跨ぐことができたかを判定することが記載されているが、上記視点は無い。
【０００７】
特許文献２、３には、リハビリテーション等を目的とし、左右で独立して走行するベルトを備えた歩行訓練装置が記載されているが、被訓練者の左右の足をそれぞれ、左右のベルト上に載せるものであり、歩行中の被訓練者が左右のベルト間で乗り移るもの（被訓練者が左右の足を同じベルトに載せて歩行するもの）ではない。
【先行技術文献】
【特許文献】
【０００８】
【特許文献１】特開２００９−２１９５０８
【特許文献２】特開平１０−２４３９７９
【特許文献３】特開２０１１−５０４５１
【非特許文献】
【０００９】
【非特許文献１】James EG. Short-term differential training decreases postural sway. Gait Posture (2013), http://dx.doi.org/10.1016/j.gaitpost.2013.06.020
【非特許文献２】Principles of sensorimotor learning, Daniel M. Wolpert, and et al., NATURE REVIEWS, NEUROSCIENCE VOLUME 12, DECEMBER 2011, 739-751
【発明の開示】
【発明が解決しようとする課題】
【００１０】
本発明は、被訓練者が環境変化や外乱に適応する能力を磨くことを可能とする歩行訓練装置を提供することを目的とする。
【課題を解決するための手段】
【００１１】
本発明が採用した技術手段は、
並列する少なくとも２つの第１歩行面、第２歩行面を提供する少なくとも２つの無端ベルトと、
歩行中の被訓練者に、いずれか1つの歩行面上に両足を載せた状態で、選択されたターゲットに身体の部分を接近させる動作を行わせるための複数のターゲットと、
歩行中の被訓練者に、前記選択されたターゲットを指示するターゲット指示手段と、
を備え、
第１歩行面の移動速度と第２歩行面の移動速度は独立して設定可能であり、
前記複数のターゲットは、第１歩行面上の被訓練者の身体の部分が接近可能な１つあるいは複数の第１ターゲットと、第２歩行面上の被訓練者の身体の部分が接近可能な１つあるいは複数の第２ターゲットを含む、
歩行訓練装置、である。
【００１２】
本発明に係る歩行訓練装置では、第１歩行面上を歩行する被訓練者に第２ターゲット（Ｔ３、Ｔ４）が指示された場合、第２歩行面上を歩行する被訓練者に第１ターゲット（Ｔ１、Ｔ２）が指示された場合には、被訓練者は第１歩行面と第２歩行面との間で側方に移動することになる。
本発明に係る歩行訓練装置は、第１ターゲット（Ｔ１、Ｔ２）に接近動作をした後に、第２ターゲット（Ｔ３、Ｔ４）に接近動作する際に両足を第１歩行面から第２歩行面に乗り移る必要があり、第２ターゲット（Ｔ３、Ｔ４）に接近動作をした後に、第１ターゲット（Ｔ１、Ｔ２）に接近動作する際に両足を第２歩行面から第１歩行面に乗り移る必要があるようにターゲット（Ｔ１〜Ｔ４）が設置されていることを特徴とするものである。
１つの好ましい態様では、第１ターゲットは、前側第１ターゲット、後側第１ターゲットを含み、第２ターゲットは、前側第２ターゲット、後側第２ターゲットを含む。
後述する実施形態では、４つのターゲット（Ｔ１〜Ｔ４）を例示しているが、ターゲットの個数は限定されない。
【００１３】
並列する歩行面の数は２つに限定されるものではなく、例えば、第３歩行面、あるいは、第４歩行面を提供する提供する無端ベルトをさらに有していてもよい。例えば、歩行訓練装置が３つの並列する第１歩行面、第２歩行面、第３歩行面を提供する３つの無端ベルトを備え、第１歩行面を中央に、第２歩行面、第３歩行面を左右に配置させ、基本姿勢では中央の第１歩行面上を歩行し、ターゲット指示手段の指令にしたがって、指示されたターゲットの位置に応じて、第２歩行面あるいは第３歩行面に乗り移るようにしてもよい。
３つ以上の歩行面（例えば、第３歩行面や第４歩行面）を備える場合に、1つの態様では、各歩行面の移動速度は独立して設定可能であり、各歩行面の移動速度を異ならしめるようにする。
本明細書における第１歩行面、第２歩行面についての記述は、第３歩行面、第４歩行面等のさらなる歩行面の説明に援用し得る。
【００１４】
１つの典型的な態様では、訓練中に、第１歩行面は第１の速度で移動し、第２歩行面は第１の速度とは異なる第２の速度で移動する。
ベルト回転速度を変えた２つの無端ベルトを並列して配置することで、運動位置および運動リズムを変えることができる。
第１の速度と第２の速度のベクトルが逆の場合（第１歩行面と第２歩行面が逆方向に移動する）もあり得る。
１回の訓練中に、歩行面の移動速度を変更するようにプログラムしてもよい。例えば、タイマを用いて時間によって所定の移動速度に変更する。あるいは、ランダムに走行中のベルト速度を変更してもよい。例えば、所定のターゲットが選択された時には、移動速度を所定量加速ないし減速させるように設定してもよい。あるいは、訓練者ないし被訓練者が操作パネルの加速ボタンないし減速ボタンを操作することで歩行面の移動速度を変更してもよい。
【００１５】
１つの態様では、訓練中に、第１歩行面、および／あるいは、第２歩行面の傾斜を変更してもよい。
例えば、第１歩行面、第２歩行面を同速度で移動させる場合であっても、第１歩行面、第２歩行面の傾斜角度を異ならしめることで、歩行中の被訓練者に外乱、刺激を与えることができる。例えば、いずれか一方の歩行面を水平面（傾斜角度０）、他方の歩行面の斜面としたり、両方の歩行面を異なる斜面に設定したりしてもよい。
１回の訓練中に、歩行面の傾斜を変更するようにプログラムしてもよい。例えば、タイマを用いて時間によって所定の傾斜角度に変更する。あるいは、ランダムに走行中の傾斜角度を変更してもよい。例えば、所定のターゲットが選択された時には、傾斜角度を所定量増加（＋）ないし減少（−）させるように設定してもよい。あるいは、訓練者ないし被訓練者が操作パネルの傾斜ボタンを操作することで歩行面の移動速度を変更してもよい。
さらに、第１歩行面、第２歩行面を異なる速度、異なる傾斜で移動させてもよい。異なる歩行速度と異なる傾斜の組み合わせを用いることで、歩行中の被訓練者に、より変化に富んだ外乱、刺激を与えることができる。
【００１６】
１つの好ましい態様では、前記ターゲット指示手段は、前記複数のターゲットからターゲットをランダムに選択して指示する。歩行訓練において、ターゲットの指示を不規則に行うことで、被訓練者がターゲット（どの位置のターゲット）を予測できないようになっている。ターゲットのランダム選択は、例えば、乱数生成器を用いて行うことができる。
【００１７】
典型的な例では、前記ターゲット指示手段は、被訓練者に対して視覚的あるいは聴覚的に指示を与えるものである。
視覚的な指示手段（すなわち提示手段ないし表示手段）は典型的にはモニタである。
聴覚的な指示手段は典型的にはスピーカやイヤホーンである。
典型的には、複数のターゲットには識別子（典型的には識別番号）が設けてあり、モニタに識別子を表示したり、識別子を音声で指示したりする。
指示手段は、被訓練者が五感でターゲットを識別できるような形で識別子を提示するものであれば、視覚的手段、聴覚的手段に限定されず、触覚や振動を用いてもよい（嗅覚、味覚を排除するものではない）。
【００１８】
１つの態様では、前記歩行訓練装置は、選択されたターゲットに身体の部分を接近させる動作が実行されたことを検知する接近動作検知手段を備えている。
１つの態様では、前記接近動作検知手段は、身体の部分とターゲットの接触あるいは身体の部分によるターゲットの押圧を検知して検知信号を生成する。このような接近動作検知手段は、例えば、タッチセンサや押しボタンスイッチから構成することができる。
接近動検知手段は、身体の部分を接近させる動作が実行されたことを非接触で検知するものでもよい（例えば、予め決定した所定距離まで接近したことをセンサで検知する）。
接近動作検知手段による検知が行われたことを、音やランプで被訓練者に知らせるようにしてもよい。
【００１９】
１つの態様では、前記歩行訓練装置は、前記接近動作検知手段によって接近動作が検知された検知元ターゲットと被訓練者に指示されたターゲットとを照合する動作正誤判定手段を備えている。
１つの態様では、前記動作正誤判定手段により照合されたターゲットが一致した場合には、接近動作完了と判断し、前記ターゲット指示手段は、次のターゲットを選択して指示する。
１つの態様では、選択されて被訓練者に提示されたターゲットと、実際に接近動作が検知された検知元ターゲットが一致しない場合には、誤動作としてカウントして回数を記録する。
１つの態様では、前記ターゲット指示手段は、前記接近動作検知手段から検知信号が生成された時に、接近動作が正動作であるか誤動作であるかにかかわらず、次のターゲットを選択して指示する。
【００２０】
１つの態様では、前記歩行訓練装置は、訓練結果記録手段を備えており、
前記訓練結果には、ターゲット指示手段による被訓練者に対するターゲットの指示から接近動作完了時までの時間が含まれる。
１つの態様では、前記歩行訓練装置は、訓練結果記録手段を備えており、
前記訓練結果には、ターゲット指示手段による被訓練者に対するターゲットの指示から接近動作検知時までの時間が含まれる。
なお、接近動作検知時に同時に接近動作の正誤判定を行うことができるので、接近動作完了時と接近動作検知時に実質的な時差は無い。
また、訓練結果には、誤動作の回数を含んでもよい。
【００２１】
１つの態様では、前記身体の部分は上肢である。
典型的には、身体の部分は手である。その他、肘等でもよい。
ターゲットの位置が、左右のいずれの手でも接近動作可能な場合には、予めどちらの手で接近動作を行うかを決めておいてもよく、あるいは、訓練によって異なる方の手で接近動作を行うようにしてもよい。あるいは、左右いずれの手で接近動作を行ってよいとしてもよい。
身体の部分は上肢以外の部位、例えば、下肢（足、膝等）、頭部、肩、臀部、腰、背等であってもよい。
ターゲットによって、異なる身体の部分を接近させるようにしてもよい。
想定される身体の部位に応じて、ターゲットの位置が異なり得ることが当業者に理解される。また、被訓練者の身体的特徴等に応じて、ターゲットの位置を調整することが有利な場合もあり得る。よって、ターゲットが位置調整可能に配置してもよい。例えば、ターゲット（例えば押しボタン）であり、トレッドミルのフレームに設けられる場合には、ターゲットのフレームへの磁着（フレームが磁性体の場合）、吸盤等による吸着、両面ファスナによる接着等を用いて着脱可能とすることで、ターゲットの位置調整が可能である。
【発明の効果】
【００２２】
本発明に係る歩行訓練装置では、被訓練者にベルト速度の異なる複数の歩行面上を歩行させ、また、歩行面間で移行させることで、被訓練者の下肢に感覚ノイズを与えると同時に、所定のターゲットに身体の所定部位を接近させることで被訓練者に歩行や側方移動と異なる動作を行わせることで、下肢への感覚ノイズと異なるノイズを与え（後述する実施形態では、上肢訓練として、各トレッドミルの前方・側方に１個の押しボタンを設置してリーチ動作、体幹の回旋を促す感覚ノイズを与える）、被訓練者にこれらの感覚ノイズを処理させることで環境変化や外乱に対する適応能力を磨く運動学習が実践できる。そして、このような運動学習の実践により環境変化や外乱に適応できる身体能力を磨くことにより、要支援者を介護保険から脱却させることが期待できる。
【００２３】
本発明に係る歩行訓練装置において訓練結果（ターゲット指示から接近動作完了までの反応時間や接近誤動作回数等）を記録することで、運動の精度の評価、訓練の評価や分析を行うことができ、例えば、リハビリテーション治療に有効な運動学習に役立てることができる。
【図面の簡単な説明】
【００２４】
【図１】本実施形態に係る歩行訓練システムの全体図である。
【図２】本実施形態に係る歩行訓練システムの動作説明図である。
【図３】本実施形態に係る歩行訓練システムにおけるターゲットの選択・提示、接近動作検知の流れを示すフロー図である。
【図４】他の実施形態に係る歩行訓練システムの全体図である。
【発明を実施するための形態】
【００２５】
本実施形態に係る歩行訓練システムについて、図面を参照しつつ説明する。図１に示すように、歩行訓練システムは、並列する２つの第１歩行面、第２歩行面を提供する２つの第１無端ベルト１、第２無端ベルト２と、第１歩行面あるいは第２歩行面上の歩行中の被訓練者に対して、選択されたターゲットの押圧動作を行わせるための複数のターゲットＴ１〜Ｔ４と、歩行中の被訓練者に訓練プログラム（ターゲットＴ１〜Ｔ４からランダムに選択した１つのターゲット）を提示するモニタ８と、ターゲットの選択・提示を制御し、また、被訓練者の訓練結果を記録するコンピュータ９と、を備えている。第１歩行面の移動速度と第２歩行面の移動速度は独立して設定可能である。歩行訓練装置の並列する２つの第１歩行面、第２歩行面を提供する２つの第１無端ベルト１、第２無端ベルト２は、左右に並列した２台の電動トレッドミルから構成することができるが、第１無端ベルト１、第２無端ベルト２を備えた１台のトレッドミルを用いてもよい。本実施形態では、４つの押しボタンによってターゲットＴ１〜Ｔ４が構成され、押しボタン（ターゲットＴ１〜Ｔ４）は、左右に位置しているそれぞれのトレッドミルの前方および側方に設置している。ターゲットＴ１〜Ｔ４は、第１歩行面上の被訓練者が押圧可能な第１ターゲットＴ１、Ｔ２と、第２歩行面上の被訓練者が押圧可能な第２ターゲットＴ３、Ｔ４とからなる。
【００２６】
本実施形態に係る歩行訓練システムは、並列して２台のトレッドミルをそれぞれ異なる速度でベルトを動作させ、被訓練者はその２台のトレッドミル上を歩行・またぐ動作をおこなう。さらに同時に上肢訓練として指示されたターゲット（ボタン）を押すことでリーチ動作、体幹の回旋を通して感覚ノイズを処理していくシステムを提供するものである。
【００２７】
コンピュータ９は、データを入力するための入力装置、処理されたデータを出力するための出力装置、データを表示する表示装置、主としてＣＰＵから構成される演算装置、ＲＯＭ、ＲＡＭ、ハードディスク等の記憶装置、これらを接続するバス、コンピュータに所定の処理を実行させるために記憶装置に格納された所定のプログラム、等を備えている。コンピュータ９は、計測された各種データを用いてデータ処理を行う処理部（データ処理装置）、ターゲットの提示を制御する制御部、計測データや計算されたデータを含む訓練結果を記録する記憶部（情報記録装置）、訓練プログラムを記憶する記憶部等として機能する。トレッドミルの動作は、コンピュータ９と独立した制御部（図示せず）によって制御される。あるいは、コンピュータ９をトレッドミルのディスプレイパネル（モニタ８を兼用できる）に内蔵し、同じコンピュータでトレッドミルの動作を制御してもよい。
【００２８】
第１無端ベルト１は、駆動側スプロケットとしての前側スプロケットと従動側スプロケットとしての後側スプロケット間に巻き掛けてなり、駆動手段としての第１モータによって駆動側スプロケットを回転させて、第１無端ベルト１を移動させるようになっており、第１無端ベルト１の上面が第１歩行面となる。第１無端ベルト２は、駆動側スプロケットとしての前側スプロケットと従動側スプロケットとしての後側スプロケット間に巻き掛けてなり、駆動手段としての第２モータによって駆動側スプロケットを回転させて、第２無端ベルト２を移動させるようになっており、第２無端ベルト２の上面が第２歩行面となる。これらのスプロケットやモータはトレッドミルに内蔵されており図示されていない。
【００２９】
第１無端ベルト１と第２無端ベルト２は、それぞれ、独立した第１モータの回転速度、第２モータの回転速度によって移動速度が独立して制御可能となっている。図２に示すように、入力部から走行制御部に移動速度の入力指令があると、第１無端ベルト１、第２無端ベルト２がそれぞれ指令された移動速度で移動するように、各駆動手段（第１モータ、第２モータ）が回転する。例えば、第１無端ベルト１の移動速度が時速２ｋｍ、第２無端ベルト２の移動速度が時速３ｋｍという入力指令があった場合には、第１モータが第１無端ベルト１が時速２ｋｍで移動するような回転速度で回転し、第２モータが第２無端ベルト２が時速３ｋｍで移動するような回転速度で回転する。
【００３０】
第１歩行面の移動速度、第２歩行面の移動速度は、予め決められた歩行訓練プログラムによって設定されてもよく、この場合、トレッドミルのスタートボタン（図示せず）を押すと、第１モータ、第２モータが駆動して、歩行訓練プログラムにしたがって所定の回転速度で回転し、第１無端ベルト１、第２無端ベルト２が設定された移動速度で移動する。スタートボタンは、第１モータ用、第２モータ用に２つ用意してもよいし（特に、２台の戸トレッドミルを用いる場合）、１つのボタンで第１モータ、第２モータの駆動を開始するようにしてもよい。
【００３１】
第１歩行面、第２歩行面の移動速度について、訓練中に被訓練者ないし訓練者が任意の移動速度を選択・変更できるようにしてもよい。例えば、第１歩行面及び第２歩行面上の被訓練者が歩行中に操作できる位置に操作パネル（図示せず）を配置し、操作パネル上に、第１歩行面の移動速度の加速ボタン、減速ボタン、停止ボタン、第２歩行面の移動速度の加速ボタン、減速ボタン、停止ボタンを設け、歩きながら加速ボタンないし減速ボタンを押すことで第１歩行面、第２歩行面の移動速度を変更できるようにしてもよい。
【００３２】
第１歩行面、第２歩行面の角度を可変としてもよい。歩行面が任意角度に傾斜可能なトレッドミルもよく知られており、例えば、前後のスプロケット及び無端ベルトからなるユニット全体の支持台を傾動可能に構成し、傾動用モータによって支持台を任意の角度に傾斜させる。例えば、傾斜は、水平を０度として、前方上向き傾斜を＋の角度や％で設定し、前方下向き傾斜を−角度や％で設定することができる。
【００３３】
歩行ないし走行訓練装置としてのトレッドミルの基本的な構成は当業者によく知られており、スタートスイッチ、停止スイッチ、速度可変スイッチ、傾斜角度可変スイッチ等についてのさらなる説明は省略する。なお、第１無端ベルト１、第２無端ベルト２の移動を停止させる緊急停止ボタン（図示せず）を設けてもよい。
【００３４】
並行する２つの第１歩行面、第２歩行面を提供する２つの無端ベルト１、２を備えたトレッドミルにおいて、第１歩行面は、前側部１０、後側部１１、第２歩行面に近い側である第１側部１２、第２歩行面から遠い側である第２側部１３を有し、第２歩行面は、前側部２０、後側部２１、第１歩行面に近い側である第１側部２２、第１歩行面から遠い側である第２側部２３を有する。
【００３５】
第１無端ベルト１、第２無端ベルト２の幅（第１側部１２、２２と第２側部１３、２３間の寸法）は、それぞれ、被訓練者が両脚を載せて歩行できるのに十分な歩行面を提供する幅を備えている。並列した第１歩行面・第２歩行面間を被訓練者が移動することが可能であれば、並列した第１歩行面の第１側部１２と第２歩行面の第１側部２２との間に間隔が設けてあっても、あるいは、第１歩行面の第１側部１２と第２歩行面の第２側部２２が近接していてもよい。図１の態様では、第１歩行面の第１側部１２と第２歩行面の第１側部２２との間の部位はフラットであるが、凹部であっても、あるいは乗り移りに支障が無い程度の高さの凸部（図４参照）であってもよい。第１歩行面と第２歩行面間の乗り移り移動に伴う訓練効果を向上させるためには、第１歩行面の第１側部１２と第２歩行面の第１側部２２との間に少なくとも５ｃｍ以上の間隔が設けてあることが好ましい。なお、被訓練者の左右の足をそれぞれ左右のベルト上に載せる従来の歩行訓練機では、左右のベルトの側部は互いのベルトの走行を妨げない程度に可能な限り近接している。第１歩行面と第２歩行面間の乗り移り移動に伴う訓練効果をさらに向上させるためには、第１歩行面の第１側部１２と第２歩行面の第１側部２２との間の部位の上面を、第１歩行面、第２歩行面よりも高くすることが望ましい。
【００３６】
第１歩行面の第２側部１３の前側には、第１ポスト３が立ち上がり状に設けてあり、第２歩行面の第２側部２３の前側には、第２ポスト４が立ち上がり状に設けてある。第１ポスト３の上端から後方に向かって、第１歩行面の第２側部１３の上方に位置して、第１サイドフレーム５が略水平状に延びており、第１サイドフレーム５の後側はさらに下方に向かって第１歩行面の第２側部１３の後側まで延びている。第２ポスト４の上端から後方に向かって、第２歩行面の第２側部２３の上方に位置して、第２サイドフレーム６が略水平状に延びており、第２サイドフレーム６の後側はさらに下方に向かって第２歩行面の第２側部２３の後側まで延びている。第１サイドフレーム５及び第２サイドフレーム６の前側は第１ポスト３、第２ポスト４を越えて前方に延出しており、第１サイドフレーム５の延出部と第２サイドフレーム６の延出部間を結ぶようにフロントフレーム７が延びている。
【００３７】
図１に示すフレーム構成は例示であって、他の構成を取り得ることが当業者に理解される。例えば、フロントフレームが第１ポストと第２ポスト間を直接結ぶようにしてもよい。また、フロントフレームにディスプレイパネル（図示せず）を設けてもよく、ディスプレイパネルが、トレッドミルの動作を制御する操作パネル、ターゲットを提示するモニタ８を兼用するようにしてもよく、さらには、ディスプレイパネル内にコンピュータ９を内蔵させてもよい。また、ターゲットを他の支持手段（例えば、トレッドミルとは独立した支柱や支持台）で所定位置に支持するようにすれば、トレッドミルにフレームが備わっていなくてもよい。
【００３８】
歩行訓練システムは、歩行中の被訓練者に、身体の部分を接近させる動作を行わせるための４つのターゲットＴ１〜Ｔ４を備えている。本実施形態では、ターゲットＴ１〜Ｔ４は、押しボタンから構成されており、ターゲットＴ１〜Ｔ４から１つのターゲットを選択して、歩行中の被訓練者に提示することで、本実施形態では、ターゲットＴ１〜Ｔ４は、押しボタンから構成されており、被訓練者には、歩行しながら選択されたターゲット（押しボタン）を押すというタスクが課される。
【００３９】
本実施形態では、コンピュータ９において、４つのターゲットＴ１〜Ｔ４から１つのターゲットがランダムで選択される。第１歩行面、第２歩行面の前方には、第１歩行面あるいは第２歩行面上で歩行中の被訓練者の目線の高さに位置して、被訓練者に対してターゲットを指示するモニタ８が設けてあり、選択されたターゲットをモニタ８に表示するようになっている。より具体的には、ターゲットＴ１、Ｔ２、Ｔ３、Ｔ４にターゲット番号として１、２、３、４が割り当てられており、例えば、モニタ８上に大きく「１」を表示することで、被訓練者がターゲットＴ１（押しボタン）を押すようになっている。選択されたターゲットの表示の仕方には色々なやり方を取り得ることが当業者に理解される。
【００４０】
本実施形態では、ターゲットＴ１は、第１サイドフレーム５の水平部の後寄りに設けてあり、ターゲットＴ２は、フロントフレーム７の第１歩行面側に設けてあり、ターゲットＴ３は、フロントフレーム７の第２歩行面側に設けてあり、ターゲットＴ４は、第２サイドフレーム６の水平部の後寄りに設けてある。図示の態様では、ターゲットＴ１〜Ｔ４は、トレッドミルのフレームを利用して配置しているが、ターゲットをトレッドミルと別体の構造体に支持させてもよい。
【００４１】
ターゲットＴ１、ターゲットＴ２は、被訓練者が第１歩行面上で歩行している時にのみ押すことができる位置にあり、ターゲットＴ３、ターゲットＴ４は、被訓練者が第２歩行面上で歩行している時にのみ押すことができる位置にある。したがって、第１歩行面上を歩行する被訓練者にターゲットＴ３ないしターゲットＴ４が指示された場合、被訓練者は第１歩行面から第２歩行面に乗り移る必要があり、第２歩行面上を歩行する被訓練者にターゲットＴ１ないしターゲットＴ２が指示された場合、被訓練者は第２歩行面から第１歩行面に乗り移る必要がある。
【００４２】
また、第１歩行面上の被訓練者にターゲットＴ１が提示された場合、第２歩行面上の被訓練者にターゲットＴ４が提示された場合には、ターゲットＴ１、Ｔ４を押す時に、被訓練者に体幹の回旋を促すことになる。第１歩行面上の被訓練者にターゲットＴ２が提示された場合、第２歩行面上の被訓練者にターゲットＴ３が提示された場合には、ターゲットＴ２、Ｔ３を押す時に、被訓練者にリーチ動作を促すことになる。
【００４３】
上述のように、トレッドミルの左右のそれぞれに２つずつ設置された押しボタン（ターゲットＴ１〜ｔ４）には、１〜４の番号が割り当てられており、モニタ８にボタン番号を提示することで、被訓練者に、上肢・体幹の運動として指示された１〜４の番号をタッチする動作を行わせる。リーチ動作および回旋運動を実施するためにボタンはトレッドミルの前方および側方に取り付けている。左右のボタンは他方のベルトに乗り移らないと押せない距離に設置しており、ベルト乗り換え運動を促す構成となっている。
【００４４】
本実施形態では、ターゲットＴ１〜Ｔ４は、押しボタンから構成されており、押しボタンを押圧した時にスイッチが入力されることで、接近動作を検知するようになっている。すなわち、押しボタンを押すことで入力されるスイッチが接近動作検知手段を構成しており、押しボタンスイッチが入力された時に生成される接近動作検知信号がコンピュータ９側の処理部に送られる。
【００４５】
処理部において、受信した接近動作検知信号が、ターゲットＴ１〜Ｔ４のどのターゲットから送信されたものであるかを認識できるようになっている。処理部では、ターゲット選択手段により選択され、ターゲット提示手段により提示されたターゲットの番号情報が保持されており、処理部の動作正誤判定手段によって、受信した接近動作検知信号の送信元ターゲット番号と、モニタ８に表示されたターゲット番号とを照合する。これらのターゲット番号が一致した場合には、接近動作完了となり、ターゲット選択手段により次のターゲットが選択され、ターゲット提示手段によりモニタ８に表示される。本実施形態では、被訓練者は、モニタ８に表示される数字が変わることで、接近動作が完了したこと（接近動作が正動作であったこと）を知る。これらのターゲット番号が一致しない場合には、接近動作未完了状態が継続する。接近動作未完了状態の間は、モニタ８上に継続してターゲット番号が表示され、本実施形態では、被訓練者は、モニタ８に表示される数字が変わらないことで、接近動作が誤動作であったことを知る。なお、接近動作が誤動作であった場合を被訓練者に告知するようにしてもよい。このような告知としては、ブザー等の警告音、ランプの点灯、モニタ８上での表示が例示される。
【００４６】
本実施形態に係る歩行訓練システムにおいて訓練の開始には、幾つかの態様がある。例えば、被訓練者が第１歩行面ないし第２歩行面上に立った状態で、２台のトレッドミルのスタートボタンを押し、第１無端ベルトを所定の第１の速度で回転させ、第２無端ベルトを所定の第２の速度で回転させて、被訓練者が歩行を開始した後で、訓練スタートボタンを押すことで、訓練が開始する。あるいは、共通のスタートボタンを用意し、このスタートボタンを押すことで、予め設定された歩行訓練プログラムにしたがって、トレッドミル、ターゲット提示手段等を動作させてもよい。
【００４７】
図２、図３を参照しつつ、本実施形態に係る歩行訓練システムにおけるターゲットの選択・提示、接近動作検知の流れを説明する。訓練スタートボタンが入力されると、ターゲット選択手段によって複数のターゲットＴ１〜Ｔ４から任意の１つのターゲットが選択され、選択されたターゲットの番号がモニタ８に表示される。例えば、ターゲットＴ３が選択され、モニタ８にターゲット番号「３」が表示されるとする。第１歩行面上で歩行する被訓練者は、ターゲット番号「３」が表示されたことを見て、第１歩行面から第２歩行面（第１歩行面とは異なる速度で移動する）に乗り移った後、手でターゲットＴ３にタッチして押圧する。ターゲットＴ３を構成する押しボタンスイッチがＯＮとなると、接近動作検知信号が処理部に送信される。処理部では、動作正誤判定手段によって、選択され、表示されたターゲット番号「３」と接近動作検知信号の送信元のターゲットＴ３の番号「３」を照合し、ターゲット番号が一致したことで接近動作完了と判断する。
【００４８】
選択されたターゲットがモニタ８に表示された時点で時間計測手段としてのタイマがスタートし、接近動作完了（接近動作が正動作であった場合）時にタイマが終了する。タイマによって取得されたターゲット提示から接近動作完了までの時間を反応時間としてコンピュータ９の記憶部に記憶する。押しボタン（ターゲット）の押圧時、接近動作検知信号受信時、動作正誤判定時は、実質的には同時なので、時間計測手段は、ターゲット識別子（ターゲット番号）がモニタ８に表示されてからボタンを押すまでの時間を自動的に計測するものであると言える。
【００４９】
表示されたターゲットに対する接近動作が完了する同時に、ターゲット選択手段によって、新たなターゲットがランダムに選択されて、選択されたターゲットの番号がモニタ８に表示され、新たにタイマがスタートする。ターゲットの選択と表示は実質的に同時に行われるので、実際には、タイマ終了と同時にタイマがスタートする。すなわち、本実施形態では、被訓練者がボタン（正しいボタン）を押すと、すぐに次の指示が出される仕組みとなっている。なお、接近動作が完了してから、次のターゲットを表示するまでにインターバルを設けてもよい。
【００５０】
モニタ８に表示されたターゲット番号「３」を見た第１歩行面上で歩行する被訓練者が、誤って手でターゲットＴ２にタッチして押圧すると、ターゲットＴ２を構成する押しボタンスイッチがＯＮとなって、接近動作検知信号が処理部に送信される。処理部では、動作正誤判定手段によって、選択され、表示されたターゲット番号「３」と接近動作検知信号の送信元のターゲットＴ３の番号「２」を照合するが、ターゲット番号が不一致となるので、接近動作未完了状態と判断する。接近動作未完了状態の間は、モニタ８上に継続してターゲット番号「３」が表示され、タイマカウントは継続する。本実施形態では訓練者がターゲットＴ３を押すことで初めて訓練が次のステップ（次のターゲットの提示）に進むようになっている。なお、反応時間の上限を設定しておき、タイマカウントが上限時間となった時には、新たにターゲットを選択して表示するようにしてもよい。ターゲット番号が不一致の場合には、接近動作が誤動作であったと判断して、誤動作回数（押し間違い回数）をカウントして記憶部に記憶してもよい。
【００５１】
訓練結果には、反応時間に加えて、各歩行面の移動速度・加速度の時系列データ（一定の場合には必ずしも必要無い）、被訓練者がどの歩行面上で歩行しているかやターゲットに接近動作していたかの軌跡を示す時系列データ（例えば、圧力センサによって判定することができる）、選択され提示されたターゲットの遷移情報等を含んでもよく、これらの情報はコンピュータ９の記憶部に記憶される。さらに、動作計測手段（光学式モーションキャプチャや慣性センサ）によって訓練時の被訓練者の動作情報を取得し、動作分析や慣性センサ情報と合わせることにより歩行面のみではなく被訓練者の位置、速度、加速度、角度、角速度、角加速度などの動作情報を取得し評価・分析に利用してもよい。
【００５２】
本実施形態に係る歩行訓練装置は主としてリハビリテーション医療に用いられる。脳卒中片麻痺患者等の患者が歩行訓練をする際は、安全のため理学療法士（PT）などの介助者が必要である。トレッドミルをリハビリ訓練に活用しようとすると操作パネルが前方にあるため介助者は患者を抱えながらとなり、単独での操作が困難なため複数名必要であった。しかし人手の問題から単独での介助で可能なトレッドミルの歩行訓練が求められていた。一方、吊り下げ式のトレッドミルを採用することで被訓練者の歩行面からの落下を防止することができるが、装置が大掛かりとなり、コスト高となることに加えて、第１歩行面と第２歩行面間での移動を前提とする本実施形態に係るトレッドミルに吊り下げ式を適用することは困難である。
【００５３】
図４に示す歩行訓練システムは、かかる課題に対応するものである。従来のトレッドミルは使用者自身が操作しており（操作パネルは、使用者が操作し易いように歩行面の前方にある）、それ以外の者が操作することを想定していなかった。しかしながら、医療現場ではトレッドミルの操作者と使用者（被訓練者）が同一ではない場合がある。本実施形態では、従来想定していたものと異なり介助者が操作を行うことを前提としており、トレッドミルの後側に補助台１６を設置し、補助台１６の側方に位置して操作パネル１５を設けることで、歩行者（被訓練者）の後方にいる介助者から操作可能なトレッドミルを提供する。介助者は、トレッドミルの歩行面の後方に位置して、被訓練者（患者）を介助（支える）する必要があるため、トレッドミルの後方の介助者が手を伸ばして操作可能な位置に操作パネル１５を設けることで、介助者は、補助台１６に乗って被訓練者を介助しながら操作パネル１５の操作を行うことができる。
【００５４】
図４に示すように、歩行訓練システムは、並列する２つの第１歩行面、第２歩行面を提供する２つの第１無端ベルト１、第２無端ベルト２と、第１歩行面あるいは第２歩行面上の歩行中の被訓練者に対して、選択されたターゲットの押圧動作を行わせるための複数のターゲットＴ１〜Ｔ４と、歩行中の被訓練者に訓練プログラム（ターゲットＴ１〜Ｔ４からランダムに選択した１つのターゲット）を提示するモニタ８と、ターゲットの選択・提示を制御し、また、被訓練者の訓練結果を記録するコンピュータ９と、を備えている。なお、図４に示す実施形態において、図１に示す実施形態と共通の要素には同一の参照番号が付してあり、必要に応じて図１に関連する記載を参照することができる。
【００５５】
並行する２つの第１歩行面、第２歩行面を提供する２つの無端ベルト１、２を備えたトレッドミルにおいて、第１歩行面は、前側部１０、後側部１１、第２歩行面に近い側である第１側部１２、第２歩行面から遠い側である第２側部１３を有し、第２歩行面は、前側部２０、後側部２１、第１歩行面に近い側である第１側部２２、第１歩行面から遠い側である第２側部２３を有する（図２参照）。図４に示す態様では、第１歩行面の第１側部１２と第２歩行面の第１側部２２との間には所定幅の中間部１４が設けられていることで被訓練者に側方移動を行わせる構造となっている。このような中間部１４を介しての側方移動が被訓練者の身体負荷を強めており、訓練効果を向上させている。本実施形態では、さらに、中間部１４の上面１４０が、第１歩行面、第２歩行面よりも高くなっており、第１歩行面と第２歩行面間の乗り移り移動に伴う訓練効果を向上させている。
【００５６】
トレッドミルの無端ベルト１、２の後側部１１、２１側が、被訓練者が第１歩行面ないし第２歩行面上に乗り降りする際の昇降側となっており、トレッドミルの昇降経路の側方には操作パネル１５が設けてあり、トレッドミルの昇降側（後側）には、無端ベルト１、２の後側部１１、２１に対向ないし近接して補助台１６が設置されている。補助台１６は、その上に介助者（図示せず）が載ることが前提となっており、操作パネル１５は、補助台１６上の介助者が、被訓練者を介助しながら容易に操作を行うことが可能な位置に設けられる。
【００５７】
補助台１６は、少なくともトレッドミルの無端ベルト１、２の後側部１１、２１の幅に亘って延びる幅を有し、所定の奥行、所定の高さを備えている。補助台１６の上面１６０は、第１歩行面、第２歩行面の高さと同じあるいは略同じ高さに位置しており、第１歩行面、第２歩行面との間で実質的な段差が生じないようになっている。補助台１６の上面１６０は、その上で介助者が被訓練者を介助できる程度の面積（幅及び奥行）を有している。補助台１６の前端は、トレッドミルの無端ベルト１、２の後側部１１、２１に隣接して位置しており、第１歩行面ないし第２歩行面から補助台１６の上面１６０に移行する際に、被訓練者の足が挟まれない程度の距離となっている。
【００５８】
トレッドミルの後側の昇降経路の側方に位置して、操作パネル１５が設けてある。操作パネル１５は、補助台１６上の介助者が容易に操作できるように補助台１６の側部の所定高さに設けられる。図示の態様では、補助台１６の一方の側部に位置して立設された柱状部１５０を支持部として操作パネル１５が支持されている。なお、支持部は柱状部１５０に限定されるものではなく、例えば、所定高さの台に操作パネル１５を設けてもよく、また、支持部と補助台１６は別体でも、一体形成されていてもよい。操作パネル１５は支持部も含み、被訓練者の第１歩行面ないし第２歩行面に対する乗り降りを妨げないように、昇降経路に隣接して側方に位置して設けてある。なお、補助台１６（昇降経路）の両側に位置させて操作パネル１５を設けてもよい。また、操作パネル１５をディスプレイパネルから構成してコンピュータ９を内蔵してもよい。
【符号の説明】
【００５９】
１  第１無端ベルト
２  第２無端ベルト
３  第１ポスト
４  第２ポスト
５  第１サイドフレーム
６  第２サイドフレーム
７  フロントフレーム  
８  モニタ
９  コンピュータ
１５  操作パネル
１６  補助台
Ｔ１〜Ｔ４  ターゲット
【図１】
2019042470.tif 000003
【図２】
2019042470.tif 000004
【図３】
2019042470.tif 000005
【図４】
2019042470.tif 000006